(57)【要約】【課題】種々の音源機器を切り替えて音声再生を行う場合であっても、容易かつ適切に音声再生モードを設定して好適な音声再生を行う。【解決手段】音声再生装置１００は、スピーカ部１３からの音声再生時において、音源装置２１〜２４のいずれかをセレクタ６、入力部８で選択して出力するという切り替えが操作部５の操作指示に基づいて行われた際に、当該選択に対応して予め記憶部３に記憶された音声再生モードに基づいた制御をシステムマイコン１が行う。【選択図】図１
2008236494.tif 000002
【特許請求の範囲】
【請求項１】
複数音源からの信号に基づいて音声再生を行う音声再生装置において、
前記複数音源より音声再生を行うべき音源を選択する選択手段と、
前記選択手段による選択毎に前記音声再生に係る音声再生モードを記憶する第１の記憶手段と、
前記選択手段で選択されたいずれかの音源からの出力信号に基づいて音声再生を行う際に、前記第１の記憶手段に記憶された前記選択に対応する音声再生モードに基づいて制御を行う制御手段と、
を備える音声再生装置。
【請求項２】
操作指示を受け付ける操作手段と、
前記操作指示に基づいて、前記第１の記憶手段に記憶される前記選択手段での選択毎の前記音声再生モードを設定する設定手段と、
を更に備える請求項１に記載の音声再生装置。
【請求項３】
前記設定手段は、前記操作指示に基づくとともに、前記選択手段で選択されたいずれかの音源からの信号に基づいて音声再生モードを設定する請求項２に記載の音声再生装置。
【請求項４】
前記音声再生モードは、前記選択手段により選択された音源の再生に不要な要素を作動させないことを特徴とする請求項１〜３のいずれか一項に記載の音声再生装置。
【請求項５】
前記音声再生モードは、前記選択手段により選択された音源が有するチャンネル出力に不要な出力を行わないことを特徴とする請求項１〜４のいずれか一項に記載の音声再生装置。
【請求項６】
複数音源から音声再生を行う音源を選択し、当該音源の信号に基づいた音声再生を行う音声再生装置の音声再生方法であって、
前記選択されたいずれかの音源からの信号に基づいた音声再生を行う際に、記憶部に記憶された選択毎の音声再生に係る音声再生モードに基づいた制御を行う音声再生方法。
【請求項７】
複数音源から音声再生を行う音源を選択し、当該音源の信号に基づいた音声再生を行う音声再生装置のコンピュータに、
前記選択されたいずれかの音源からの信号に基づいた音声再生を行う際に、記憶部に記憶された選択毎の音声再生に係る音声再生モードに基づいた制御を行う制御手段、
として機能させるためのプログラム。
【発明の詳細な説明】
【技術分野】
【０００１】
本発明は、音声再生装置、音声再生方法及びプログラムに関する。
【背景技術】
【０００２】
従来、ビデオ回路や表示回路などの不要な回路の電源をオフにしてオーディオ信号への干渉を低減させ、ＣＤ（Compact  Disk）などの音源を高品位に再生する音声再生モードを有する音声再生装置が知られている。
【０００３】
例えば、特許文献１には、オーディオ信号のみが記録されているディスクを再生している場合に、ビデオ信号処理部への電力供給を停止する技術が開示されている。特許文献２には、多チャンネルＡＶアンプに簡単な切替回路と遅延回路とを追加し、ステレオ再生時にはフロント用スピーカをパラレル駆動バイアンプ構成で駆動することで更なる高音質再生を行う技術が開示されている。
【特許文献１】特開２００２−２７１７１５号公報
【特許文献２】特開２００６−２３７９２８号公報
【発明の開示】
【発明が解決しようとする課題】
【０００４】
しかしながら、音声再生装置では、ＣＤ、ＤＶＤ（Digital Versatile Disk）、ＭＤ（MiniDisc）又はＵＳＢ（universal serial bus）などを経由して転送される音声データ等の種々の音源機器をセレクタで切り替えて音声再生しており、いずれかの音源機器から音声再生を行う場合はセレクタ切り替えを行った後に上述した音声再生モードの切り替えを行う必要があるため不便であった。
【０００５】
本発明の課題は、上述した従来技術の問題に鑑みてなされたものであって、種々の音源機器を切り替えて音声再生を行う場合であっても、容易かつ適切に音声再生モードを設定して好適な音声再生を行うことである。
【課題を解決するための手段】
【０００６】
上記課題を解決するために、請求項１に記載の発明は、複数音源からの信号に基づいて音声再生を行う音声再生装置において、
前記複数音源より音声再生を行うべき音源を選択する選択手段と、
前記選択手段による選択毎に前記音声再生に係る音声再生モードを記憶する第１の記憶手段と、
前記選択手段で選択されたいずれかの音源からの出力信号に基づいて音声再生を行う際に、前記第１の記憶手段に記憶された前記選択に対応する音声再生モードに基づいて制御を行う制御手段と、
を備える。
【０００７】
請求項２に記載の発明は、請求項１に記載の発明において、
操作指示を受け付ける操作手段と、
前記操作指示に基づいて、前記第１の記憶手段に記憶される前記選択手段での選択毎の前記音声再生モードを設定する設定手段と、
を更に備える。
【０００８】
請求項３に記載の発明は、請求項２に記載の発明において、
前記設定手段は、前記操作指示に基づくとともに、前記選択手段で選択されたいずれかの音源からの信号に基づいて音声再生モードを設定する。
【０００９】
請求項４に記載の発明は、請求項１〜３のいずれか一項に記載の発明において、
前記音声再生モードは、前記選択手段により選択された音源の再生に不要な要素を作動させないことを特徴とする。
【００１０】
請求項５に記載の発明は、請求項１〜４のいずれか一項に記載の発明において、
前記音声再生モードは、前記選択手段により選択された音源が有するチャンネル出力に不要な出力を行わないことを特徴とする。
【００１１】
請求項６に記載の発明は、複数音源から音声再生を行う音源を選択し、当該音源の信号に基づいた音声再生を行う音声再生装置の音声再生方法であって、
前記選択されたいずれかの音源からの信号に基づいた音声再生を行う際に、記憶部に記憶された選択毎の音声再生に係る音声再生モードに基づいた制御を行う。
【００１２】
請求項７に記載の発明は、複数音源から音声再生を行う音源を選択し、当該音源の信号に基づいた音声再生を行う音声再生装置のコンピュータに、
前記選択されたいずれかの音源からの信号に基づいた音声再生を行う際に、記憶部に記憶された選択毎の音声再生に係る音声再生モードに基づいた制御を行う制御手段、
として機能させるためのプログラムである。
【発明の効果】
【００１３】
本発明によれば、複数音源の中からいずれかの音源を選択して音声再生を行う場合であっても、当該選択に対応した音声再生モードが記憶されており、その選択に対応した音声再生モードで制御されるため、ユーザが音源の選択に伴って音声再生モードを設定する必要が無く、容易かつ適切に高品位な音声再生を行うことができる。
【発明を実施するための最良の形態】
【００１４】
以下、この発明の実施の形態について図を参照して説明するが、この発明は以下の実施の形態に限定しない。また、この発明の実施の形態は発明の最も好ましい一形態を示すものであり、発明の範囲はこれに限定するものではない。
【００１５】
［第１の実施の形態］
先ず、音声再生装置の第１の実施の形態について、図１、図２を参照して説明する。図１は、音声再生装置１００の機能的構成を例示している。図２は、音声再生装置１００のシステムマイコン１が実行して行う動作をフローチャートで例示している。
【００１６】
図１に示すように、音声再生装置１００は、システムマイコン１、ビデオ制御部２、記憶部３、表示部４、操作部５、セレクタ６、Ａ／Ｄ変換器７、入力部８、ＤＳＰ９、Ｄ／Ａ変換器１０、アンプ部１１、リレー１２及びスピーカ部１３を有する構成である。なお、図中の点線は、音声信号の流れを示している。
【００１７】
システムマイコン１は、ＣＰＵ（Central  Processing  Unit）、ＲＯＭ（Read  Only  Memory）、ＲＡＭ（Random  Access  Memory）などにより構成される。ＣＰＵは、ユーザによる操作部５からのキー操作に応じて、ＲＯＭに格納されている各種制御プログラムを読み出し、ＲＡＭ内のプログラム格納領域に展開し、該制御プログラムに従って各部に信号を出力し、各部の動作を集中制御する。また、ＣＰＵは、読み出した制御プログラムに従って各種処理を実行し、その処理結果をＲＡＭ内の所定の領域に一時的に格納したり、表示部４に表示させたりする。
【００１８】
また、システムマイコン１は、上述した制御プログラムに従って後述する動作の制御を行うことで、スピーカ部１３からの音声再生時において、入力される音源装置２１〜２４のセレクタ６や入力部８での切り替えに対応し、その選択に対して予め設定された音声再生モードに基づいた各部の制御を行う。この音源装置２１〜２４の切り替えに対して予め設定された音声再生モードは、例えば、再生音質の向上を図る高音質再生モードなどがある。システムマイコン１は、この高音質再生モードのオン／オフに基づいて不要な処理の停止や不要な機能部への電源供給の停止を行うことで、スピーカ部１３からの音声再生への影響を低減させることができる。
【００１９】
ビデオ制御部２は、映像処理用ＤＳＰ（Digital  Signal  Processor）などにより構成され、システムマイコン１から入力される指示に従って、音源装置２１〜２４から入力されて特に図示しない出力端子からモニタなどへ出力する映像信号に対して、ビデオ信号処理等の各種映像処理、モニタへオンスクリーン表示を行うためのＯＳＤ（On  Screen  Display）映像信号の出力処理や、モニタの電源オン／オフや音量調整などのモニタ制御信号の出力などを行う。
【００２０】
記憶部３は、半導体メモリ等であり、システムマイコン１から入力される書き込み／読み出し指示に従って、システムマイコン１から出力されるデータの格納や、読み出したデータのシステムマイコン１への出力を行う。具体的には、記憶部３は、後述するセレクタ６や入力部８の選択毎の音声再生モード／再生用スピーカを設定情報として記憶する（第１の記憶手段／第２の記憶手段）。
【００２１】
表示部４は、ＬＣＤ（Liquid  Crystal  Display）等により構成され、システムマイコン１から入力される指示に従って、表示画面上に、動作状況（例えば、現在再生されている音楽のトラック番号や進行時間、ディスクの全録音時間等の情報や動作モード等）の表示を行う。
【００２２】
操作部５は、ＥＪＥＣＴキー、ソース（ＣＤ／ＭＤ／ＤＶＤ／ＵＳＢ）指定キー、再生キー、テンキー、高音質再生や通常再生などの再生モードの切り替えや再生するスピーカの切り替え等を指定するモード切替キー、ＳＫＩＰ  ＵＰ／ＤＯＷＮキー、停止キー等の各種機能キーを備え、キー操作による操作信号をシステムマイコン１へ出力することで操作手段としての機能を提供する。また、操作部５は、無線や赤外線通信等のリモートコントロールによる操作信号をシステムマイコン１へ出力するようにしてもよい。
【００２３】
セレクタ６は、スピーカ部１３からの音声再生時に、システムマイコン１から入力される指示に応じて、音源装置２１、２２から入力されるアナログ信号（音声）を選択してＡ／Ｄ変換器７へ出力することで、選択手段としての機能を提供する。なお、セレクタ６は、音源装置２１、２２から入力される映像信号についてはビデオ制御部２へ出力する。Ａ／Ｄ変換器７は、入力されるアナログ音声信号をデジタル変換する変換器であり、変換後のデジタル音声信号をＤＳＰ９へ出力する。
【００２４】
入力部８は、スピーカ部１３からの音声再生時に、システムマイコン１から入力される指示に応じて、音源装置２３、２４から入力されるデジタル信号（音声）を選択してＤＳＰ９へ出力することで、選択手段としての機能を提供する。なお、入力部８は、音源装置２３、音源装置２２から入力される映像信号についてはビデオ制御部２へ出力する。
【００２５】
ＤＳＰ９は、Ａ／Ｄ変換器７又は入力部８から入力されるデジタル音声信号に対して、符号化されている信号の復号化などの変換処理を行い、変換後のデジタル音声信号をＤ／Ａ変換器１０へ出力する。Ｄ／Ａ変換器１０は、入力されるデジタル音声信号をアナログ変換する変換器であり、変換後のアナログ音声信号をアンプ部１１へ出力する。
【００２６】
アンプ部１１は、入力されるアナログ音声信号を、システムマイコン１から入力される指示に基づいて増幅した上でリレー１２に出力する。
【００２７】
リレー１２は、入力されるアナログ音声信号をスピーカ部１３に出力して当該スピーカ部１３からの音声再生を行う。また、リレー１２は、システムマイコン１から入力されるステレオ再生指示に基づいて、入力されるアナログ音声信号を左右のチャンネルの信号に分離して左音声再生用のスピーカ１３Ｌ、右音声再生用のスピーカ１３Ｒに出力する。
【００２８】
音源装置２１〜２４は、ＣＤ、ＤＶＤ（Digital Versatile Disk）、ＭＤ（MiniDisc）又はＵＳＢ（universal serial bus）などの通信を介して接続する外部機器であり、再生すべき音声や映像などの情報を含むアナログ信号又はデジタル信号をセレクタ６又は入力部８の端子（特に図示しない）へ出力する。
【００２９】
ここで、システムマイコン１が制御プログラムに従ってスピーカ部１３からの音声再生時に行う音声再生装置１００の動作処理について詳細に説明する。先ず、処理が開始されると、図２に示すように、音声再生モードの切り替え入力が操作部５から行われたか否かが判定され（ステップＳ１１）、切り替え入力が行われた場合（ＹＥＳ）はステップＳ１２〜Ｓ１６に示す処理が行われる。
【００３０】
音声再生モードの切り替えが入力された場合は、その入力指示が高音質再生モードオンへの切り替えか否かが判定される（ステップＳ１２）。この判定において、高音質再生モードオンであると判定された場合（ＹＥＳ）は、音源装置２１〜２４のいずれを選択しているかというセレクタ６、入力部８の選択状態を取得し、その選択に対応する音声再生モードとして高音質再生モードオンが記憶部３に記憶され（ステップＳ１３）、高音質再生モードオンに基づいてビデオ制御部２におけるビデオ信号処理やモニタ等の表示用電源をオフにする高音質再生モードへ切り替えた制御が行われる（ステップＳ１４）。
【００３１】
また、ステップＳ１２の判定において、高音質再生モードオフであると判定された場合（ＮＯ）は、ステップＳ１３と同様にセレクタ６、入力部８の選択状態を取得してその選択に対応する音声再生モードとして高音質再生モードオフが記憶部３に記憶され（ステップＳ１４）、高音質再生モードオフに基づいてビデオ制御部２におけるビデオ信号処理やモニタ等の表示用電源をオンにする通常再生モードへ切り替えた制御が行われる（ステップＳ１６）。
【００３２】
音声再生装置１００では、上述したステップＳ１１〜Ｓ１６に示した処理を行うことで、操作部５からの操作指示に基づいて、セレクタ６、入力部８の選択毎の音声再生モードの設定を行う（設定手段）ことができる。また、セレクタ６、入力部８の選択毎の音声再生モードの設定は、音源装置２１〜２４のいずれかを選択してリレー１２に出力している再生時において、操作部５による音声再生モードの切り替え入力があった際にその選択状態を取得して行うため、スピーカ部１３による音声再生中に行うことができる。
【００３３】
次いで、操作部５からの入力指示に基づいたセレクタ６、入力部８の切り替え、つまり、再生すべき音源の切り替えの有無が判定され（ステップＳ１７）、切り替えが行われた場合（ＹＥＳ）はステップＳ１８〜Ｓ２２に示す処理が行われる。
【００３４】
操作部５からの入力指示に基づいて再生すべき音源の切り替えを行う場合は、セレクタ６、入力部８の切り替えが行われ（ステップＳ１８）、切り替え後のセレクタ（セレクタ６、入力部８の選択状態）に関連する設定情報が記憶部３から読み出される（ステップＳ１９）。つまり、ステップＳ１９では、その切り替え選択に対応する音声再生モードの読み出しが行われる。
【００３５】
ステップＳ１９に次いで、その切り替え選択に対応して設定されている音声再生モードが高音質再生モードオンか否かが判定され（ステップＳ２０）、高音質再生モードオンである場合（ＹＥＳ）は、ステップＳ１４と同様に高音質再生モードへ切り替えた制御が行われる。また、ステップＳ２０において高音質再生モードオフであると判定された場合（ＮＯ）は、ステップＳ１６と同様に通常再生モードへ切り換えた制御が行われる（ステップＳ２２）。
【００３６】
ステップＳ２１、Ｓ２２に次いで、操作部５からの入力指示に基づいて処理を終了するか否かが判定され（ステップＳ２３）、処理を継続する場合（ＮＯ）はステップＳ１１へ戻る。つまり、スピーカ部１３からの音声再生時には、上述した音声再生切り替えの入力指示やセレクタ切り替えの入力指示に基づいた処理（ステップＳ１１〜Ｓ２２）が行われる。
【００３７】
音声再生装置１００では、上述したステップＳ１７〜Ｓ２２に示した処理を行うことで、音声再生時において音源装置２１〜２４のいずれかをセレクタ６、入力部８で選択するという、セレクタの切り替えが操作部５の操作指示に基づいて行われた際に、当該選択に対応して予め記憶部３に記憶された音声再生モードに基づいた制御を行う。このため、音声再生装置１００では、セレクタの切り替えに連動した制御を行うことができ、選択された音源装置に好適であり高品位な音声再生を容易に行うことができる。
【００３８】
具体的には、記憶部３にはセレクタ６、入力部８の選択に対応した音声再生モードとして高音質再生モードのオン／オフが記憶されており、当該高音質再生モードのオン／オフに基づいて、音声再生には不要なビデオ制御部２におけるビデオ処理やモニタ等の表示用電源をオフにするなどの制御を行い、セレクタと連動した高音質再生モードのオン／オフを制御する。この場合は、例えばＣＤなどの音源装置を選択した際に、それに連動して不要な映像処理などを停止する高音質再生モードにすることができ、ユーザが高音質モードへ設定する手間を省くことができる。
【００３９】
［第２の実施の形態］
次に、音声再生装置の第２の実施の形態について、図３〜図５を参照して説明する。図３は、音声再生装置２００の機能的構成を例示している。図４、５は、音声再生装置１００のシステムマイコン１が実行して行う動作をフローチャートで例示している。なお、前述した第１の実施の形態と同一の構成については同一の符号を付して説明を省略する。
【００４０】
図３に示すように、音声再生装置２００は、システムマイコン１、ビデオ制御部２、記憶部３、表示部４、操作部５、セレクタ６、Ａ／Ｄ変換器７、入力部８、ＤＳＰ９、Ｄ／Ａ変換器１０、アンプ部１１、リレー１２ａ、１２ｂ、スピーカ部１３、１３ｓを有する構成である。
【００４１】
リレー１２ａ、１２ｂは、入力されるアナログ音声信号をスピーカ部１３、１３ｓに出力して音声再生を行う。リレー１２ａは、システムマイコン１から入力されるステレオ再生指示に基づいて、入力されるアナログ音声信号を左右のチャンネル信号に分離して左音声再生用のスピーカ１３Ｌ、右音声再生用のスピーカ１３Ｒに出力する。
【００４２】
リレー１２ｂは、システムマイコン１から入力されるサラウンド再生指示に基づいて、入力されるアナログ音声信号を正面、左後方、右後方のチャンネル信号に分離して、正面再生用のスピーカ１３Ｃ、左後方再生用のスピーカ１３ＬＳ、右後方再生用のスピーカ１３ＲＳに出力する。
【００４３】
音声再生装置２００は、上述したスピーカ部１３、１３ｓを有し、システムマイコン１からの指示に基づいてスピーカ部１３によるモノラル／ステレオ再生やスピーカ部１３、１３ｓによるサラウンド再生などの再生用スピーカの切り替えが可能な構成である。
【００４４】
ここで、システムマイコン１が制御プログラムに従ってスピーカ部１３、１３ｓからの音声再生時に行う音声再生装置２００の動作処理について詳細に説明する。
【００４５】
先ず、処理が開始されると、図４に示すように、音声再生モードの切り替え入力が操作部５から行われたか否かが判定され（ステップＳ３１）、切り替え入力が行われた場合（ＹＥＳ）は前述のステップＳ１２〜Ｓ１６と同様の処理がステップＳ３２〜Ｓ３６で行われる。
【００４６】
次いで、入力チャンネルの設定が操作部５から行われたか否かが判定され（ステップＳ３７）、設定されている場合（ＹＥＳ）はステップＳ３８〜Ｓ４２に示す処理が行われる。
【００４７】
入力チャンネルの設定がなされた場合は、その入力指示が２チャンネル再生を行う入力であるか、サラウンド再生のような多チャンネル再生を行う入力であるかが判定される（ステップＳ３８）。この判定において、多チャンネル再生を行う入力であると判定された場合（ＮＯ）は、音源装置２１〜２４のいずれをセレクタ６、入力部８で選択しているかという選択状態を取得し、その選択に対応する再生用スピーカとして多チャンネル再生が可能な再生スピーカへの出力を行うことが記憶部３に記憶され（ステップＳ３９）、リレー１２ａ及びリレー１２ｂによる出力に切り替えられて、スピーカ部１３、１３Ｓによるサラウンド再生のような多チャンネル再生に切り替えられる（ステップＳ４０）。
【００４８】
また、ステップＳ３８の判定において、入力指示が２チャンネル再生を行う入力であると判定された場合（ＹＥＳ）は、ステップＳ３９と同様にセレクタ６、入力部８の選択状態を取得してその選択に対応する再生用スピーカとして２チャンネル再生用スピーカへの出力を行うことが記憶部３に記憶され（ステップＳ４１）、リレー１２ａのみからの出力に切り替えられて、スピーカ部１３による２チャンネル再生に切り替えられる（ステップＳ４２）。
【００４９】
音声再生装置２００では、上述したステップＳ３７〜Ｓ４２に示した処理を行うことで、操作部５からの操作指示に基づいて、セレクタ６、入力部８の選択毎の再生用スピーカの設定を行うことができる。また、セレクタ６、入力部８の選択毎の再生用スピーカの設定は、音源装置２１〜２４のいずれかを選択した再生時において、操作部５による再生用スピーカの切り替え入力が有った際にその選択状態を取得して行うため、スピーカ部１３、１３ｓによる音声再生中に行うことができる。
【００５０】
次いで、図５に示すように、操作部５からの入力指示に基づいたセレクタ６、入力部８の切り替え、つまり、再生すべき音源の切り替えの有無が判定され（ステップＳ４３）、切り替えが行われた場合（ＹＥＳ）はステップＳ４４〜Ｓ５２に示す処理が行われる。
【００５１】
操作部５からの入力指示に基づいたセレクタ６、入力部８の切り替えを行う場合は、セレクタ６、入力部８の切り替えが行われ（ステップＳ４４）、切り替え後のセレクタ（セレクタ６、入力部８の選択状態）に関連する設定情報が記憶部３から読み出される（ステップＳ４５）。つまり、ステップＳ４５では、その切り替え選択に対応する音声再生モードや再生用スピーカの読み出しが行われる。
【００５２】
ステップＳ４５に次いで、その切り替え選択に対応して設定されている音声再生モードが高音質再生モードオンか否かが判定され（ステップＳ４６）、高音質再生モードオンである場合（ＹＥＳ）は、ステップＳ３４と同様に高音質再生モードへ切り換えた制御が行われる（ステップＳ４７）。また、ステップＳ４６において高音質再生モードオフであると判定された場合（ＮＯ）は、ステップＳ３６と同様に通常再生モードへ切り換えた制御が行われる（ステップＳ４８）。
【００５３】
次いで、ステップＳ４４の切り替え選択に対応して設定されている入力チャンネルが２チャンネル再生を行う入力であるか否かが判定され（ステップＳ４９）、多チャンネル再生を行う入力であると判定された場合（ＮＯ）は、ステップＳ４０と同様に多チャンネル再生に切り替えられる（ステップＳ５０）。
【００５４】
また、ステップＳ４９において切り替え選択に対応して設定されている入力チャンネルが２チャンネル再生である場合（ＹＥＳ）、ステップＳ４２と同様にスピーカ部１３による２チャンネル再生に切り替えられる（ステップＳ５１）。その際、ステップＳ４６において高音質モードが設定されている場合は、アンプ部１１における２チャンネルの再生に必要の無い増幅処理や増幅部の電源をオフとする（ステップＳ５２）
【００５５】
ステップＳ５０、Ｓ５２に次いで、操作部５からの入力指示に基づいて処理を終了するか否かが判定され（ステップＳ５３）、処理を継続する場合（ＮＯ）はステップＳ３１へ戻る。つまり、スピーカ部１３、１３ｓからの音声再生時には、上述した音声再生／再生用スピーカ切り替えの入力指示やセレクタ切り替えの入力指示に基づいた処理（ステップＳ３１〜Ｓ５２）が行われる。
【００５６】
音声再生装置２００では、上述したステップＳ４３〜Ｓ５２に示した処理を行うことで、音声再生時において音源装置２１〜２４のいずれかをセレクタ６、入力部８で選択するという、セレクタの切り替えが操作部５の操作指示に基づいて行われた際に、当該選択に対応して予め記憶部３に記憶された音声再生モードに基づいたチャンネルによるスピーカ出力を行うとともに、不要なスピーカ出力に関する回路の電源等をオフとしたため、選択された音源機器に適合した高品位な音声再生を容易に行うことができる。
【００５７】
なお、上述した実施の形態における記述は、一例を示すものであり、これに限定するものではない。上述した実施の形態における構成及び動作に関しては、適宜変更が可能である。
【００５８】
例えば、図２に示すステップＳ１９〜Ｓ２２の処理や図５に示すステップＳ４５〜Ｓ５１の処理は、セレクタ６、入力部８の選択を切り替えたタイミングで行われるが、電源投入時や操作部５から入力指示があったタイミングで行われてもよい。この場合は、セレクタ６、入力部８による音源の切り替え以外においてもセレクタ６、入力部８の選択状態に応じた音声再生モードでの制御や再生用スピーカの切り替えを行うことができる。
【００５９】
また、音声再生装置１００、２００において、セレクタ６、入力部８が入力する信号のチャンネル数（モノラル／ステレオ／サラウンド）や信号の種別（ＰＣＭ（Pulse  Code  Modulations）音声信号／デジタルサラウンド音声信号、映像信号の有無）を識別する構成を有する場合は、その入力信号に基づいた音声再生モードの切り替えや再生用スピーカの切り替えを行ってもよい。
【００６０】
具体的には、ステップＳ１１、Ｓ３１で音源装置２１〜２４から入力される信号のチャンネル数や種別を判定し、その判定に基づいてステップＳ１２、Ｓ３２で高音質再生モードのオン／オフの切り替えを判定してもよい。例えば、チャンネル数がステレオである場合、信号種別がＰＣＭ音声信号である場合又は映像信号を含まない場合は高音質再生モードをオンにする、チャンネル数がモノラル／サラウンドである場合、信号種別がデジタルサラウンド音声信号である場合又は映像信号を含む場合は高音質再生モードをオフにする構成などがある。この場合は、入力される信号に応じた音声モードの設定をセレクタ６、入力部８の選択毎に行うことができる。
【００６１】
同様に、ステップＳ３７で音源装置２１〜２４から入力される信号のチャンネル数や種別を判定し、その判定に基づいてステップＳ３８でサラウンド再生用スピーカへの切り替えを判定してもよい。例えば、チャンネル数がサラウンドである場合、信号種別がデジタルサラウンド音声信号である場合又は映像信号を含む場合はサラウンド再生用スピーカへ切り替える、チャンネル数がステレオ／モノラルである場合、信号種別がＰＣＭ音声信号である場合又は映像信号を含まない場合は通常再生用スピーカへ切り替える構成などがある。この場合は、入力される信号に応じた再生用スピーカの設定をセレクタ６、入力部８の選択毎に行うことができる。
【００６２】
また、ステップＳ４９では、ステップＳ４４の切り替え選択に対応して設定されている再生用スピーカを判定する処理構成を例示したが、チャンネル数や信号種別による上述した判定と同様に再生用スピーカを判定してもよい。この場合は、セレクタ６、入力部８の選択が切り替えられた際に好適な再生用スピーカの選択を行うことができる。
【図面の簡単な説明】
【００６３】
【図１】第１の実施の形態における音声再生装置の構成を例示するブロック図である。
【図２】第１の実施の形態における音声再生装置の動作を例示するフローチャートである。
【図３】第２の実施の形態における音声再生装置の構成を例示するブロック図である。
【図４】第２の実施の形態における音声再生装置の動作を例示するフローチャートである。
【図５】第２の実施の形態における音声再生装置の動作を例示するフローチャートである。
【符号の説明】
【００６４】
１００、２００  音声再生装置
１  システムマイコン
２  ビデオ制御部
３  記憶部
４  表示部
５  操作部
６  セレクタ
７  Ａ／Ｄ変換器
８  入力部
９  ＤＳＰ
１０  Ｄ／Ａ変換器
１１  アンプ部
１２、１２ａ、１２ｂ  リレー
１３、１３ｓ  スピーカ部
１３Ｌ、１３Ｒ、１３Ｃ、１３ＬＳ、１３ＲＳ  スピーカ
２１〜２４  音源装置
【図１】
2008236494.tif 000003
【図２】
2008236494.tif 000004
【図３】
2008236494.tif 000005
【図４】
2008236494.tif 000006
【図５】
2008236494.tif 000007